【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
作業領域内に配置された加工対象物の加工対象面に対して、レーザ光を照射して、所望の加工パターンに加工可能なレーザ加工装置であって、
レーザ光を発生させるためのレーザ発振部と、
前記レーザ発振部より出射されるレーザ光を作業領域内において走査させるためのレーザ光走査系と、
前記レーザ発振部および前記レーザ光走査系を制御するためのレーザ制御部と、
所望の加工パターンに加工する加工条件を入力するための加工条件設定部と、
前記加工条件設定部で設定された加工条件に従って、３次元的な加工対象面のレーザ加工データを生成する加工データ生成部と、
前記加工データ生成部で生成されたレーザ加工データのイメージを２次元的及び／又は３次元的に表示可能な加工イメージ表示部と、
を備え、
前記加工条件設定部が、３次元的な加工対象面として所定の基本図形を指定可能としており、さらに前記加工イメージ表示部で加工対象面を２次元的に表示させた状態でレーザ加工データの高さを設定可能としており、
さらに指定された基本図形に基づいて前記加工データ生成部で生成されたレーザ加工データを前記加工イメージ表示部で３次元状に表示する際に、該レーザ加工データの高さを、基本図形の高さと略一致させるよう構成してなることを特徴とするレーザ加工装置。
【請求項２】
作業領域内に配置された加工対象物の加工対象面に対して、レーザ光を照射して、所望の加工パターンに加工可能なレーザ加工装置であって、
レーザ光を発生させるためのレーザ発振部と、
前記レーザ発振部より出射されるレーザ光を作業領域内において走査させるためのレーザ光走査系と、
前記レーザ発振部および前記レーザ光走査系を制御するためのレーザ制御部と、
所望の加工パターンに加工する加工条件を入力するための加工条件設定部と、
前記加工条件設定部で設定された加工条件に従って、３次元的な加工対象面のレーザ加工データを生成する加工データ生成部と、
前記加工データ生成部で生成されたレーザ加工データのイメージを２次元的及び／又は３次元的に表示可能な加工イメージ表示部と、
を備え、
前記加工条件設定部が、３次元的な加工対象面として所定の基本図形を指定可能としており、
さらに指定された基本図形に基づいて前記加工データ生成部で生成されたレーザ加工データを前記加工イメージ表示部で３次元状に表示する際に、基本図形の高さをレーザ加工データの高さよりも高くして表示するよう構成してなることを特徴とするレーザ加工装置。
【請求項３】
請求項１又は２に記載のレーザ加工装置であって、
前記加工条件設定部で指定可能な基本図形が、円柱状、円錐状、球状の少なくともいずれかを含むことを特徴とするレーザ加工装置。
【請求項４】
請求項２又は３に記載のレーザ加工装置であって、
前記加工イメージ表示部でレーザ加工データを表示する際に、前記加工条件設定部で指定された基本図形の高さを、レーザ加工データの高さよりも高くした所望の値に設定可能に構成してなることを特徴とするレーザ加工装置。
【請求項５】
請求項１から４のいずれか一に記載のレーザ加工装置であって、
前記加工条件設定部で、異なる加工条件に設定可能な複数の加工ブロックを設定可能に構成してなることを特徴とするレーザ加工装置。
【請求項６】
請求項１から５のいずれか一に記載のレーザ加工装置であって、
前記レーザ光走査系が、
入射レンズと出射レンズを備えるビームエキスパンダであって、前記レーザ発振部から照射されるレーザ光の光軸に前記入射レンズ及び出射レンズの光軸を一致させた状態で、入射レンズと出射レンズ間の相対距離を変化させてレーザ光の焦点距離を調整可能なビームエキスパンダと、
前記ビームエキスパンダを透過したレーザ光を第１の方向に走査させるための第１のミラーと、
前記第１のミラーで反射されたレーザ光を前記第１の方向と略直交する第２の方向に走査させるための第２のミラーと、
を有し、
前記第１のミラー及び第２のミラーがガルバノミラーで構成され、各々略直交する回転軸を中心に回転可能なガルバノメータ式スキャナに接続されてＸ軸スキャナ及びＹ軸スキャナを構成してなることを特徴とするレーザ加工装置。
【請求項７】
作業領域内に配置された加工対象物の加工対象面に対して、レーザ光を照射して、所望の加工パターンに加工可能なレーザ加工装置について、所望の加工パターンに基づいて加工データを設定するためのレーザ加工データ設定装置であって、
所望の加工パターンに加工する加工条件を入力するための加工条件設定部と、
前記加工条件設定部で設定された加工条件に従って、３次元的な加工対象面のレーザ加工データを生成する加工データ生成部と、
前記加工データ生成部で生成されたレーザ加工データのイメージを２次元的及び／又は３次元的に表示可能な加工イメージ表示部と、
を備え、
前記加工条件設定部が、３次元的な加工対象面として所定の基本図形を指定可能としており、
さらに指定された基本図形に基づいて前記加工データ生成部で生成されたレーザ加工データを前記加工イメージ表示部で３次元状に表示する際に、該レーザ加工データの高さを、基本図形の高さと略一致させて表示可能とする、又は基本図形の高さをレーザ加工データの高さよりも高くして表示可能とすることを特徴とするレーザ加工装置。
【請求項８】
作業領域内に配置された加工対象物の加工対象面に対して、レーザ光を照射して、所望の加工パターンに加工可能なレーザ加工装置について、所望の加工パターンに基づいて加工データを設定するためのレーザ加工データ設定方法であって、
加工対象面を２次元的に表示させた状態で、所望の加工パターンに加工する加工条件を指定すると共に、３次元的な加工対象面として所定の基本図形を指定する工程と、
加工条件に従って生成されたレーザ加工データのイメージを加工イメージ表示部に３次元的に表示する際に、指定された基本図形に基づいて生成されたレーザ加工データを前記加工イメージ表示部で３次元状に表示する際に、該レーザ加工データの高さを、基本図形の高さと略一致させて表示する、又は基本図形の高さをレーザ加工データの高さよりも高くして表示する工程と、
を含むことを特徴とするレーザ加工データ設定方法。
【請求項９】
作業領域内に配置された加工対象物の加工対象面に対して、レーザ光を照射して、所望の加工パターンに加工可能なレーザ加工装置について、所望の加工パターンに基づいて加工データを設定するためのレーザ加工データ設定プログラムであって、
加工対象面を２次元的に表示させた状態で、所望の加工パターンに加工する加工条件を指定すると共に、３次元的な加工対象面として所定の基本図形を指定する機能と、
加工条件に従って生成されたレーザ加工データのイメージを加工イメージ表示部に３次元的に表示する際に、指定された基本図形に基づいて生成されたレーザ加工データを前記加工イメージ表示部で３次元状に表示する際に、該レーザ加工データの高さを、基本図形の高さと略一致させて表示する、又は基本図形の高さをレーザ加工データの高さよりも高くして表示する機能と、
をコンピュータに実現させることを特徴とするレーザ加工データ設定プログラム。
【手続補正２】
【補正対象書類名】明細書
【補正対象項目名】発明の名称
【補正方法】変更
【補正の内容】
【発明の名称】レーザ加工装置、レーザ加工条件設定装置、レーザ加工条件設定方法、レーザ加工条件設定プログラム
【手続補正３】
【補正対象書類名】明細書
【補正対象項目名】００１６
【補正方法】変更
【補正の内容】
【００１６】
さらにまた本発明の一実施形態に係るプログラムを格納したコンピュータで読み取り可能な記録媒体又は記録した機器は、上記プログラムを格納するものである。記録媒体には、ＣＤ−ＲＯＭ、ＣＤ−Ｒ、ＣＤ−ＲＷやフレキシブルディスク、磁気テープ、ＭＯ、ＤＶＤ−ＲＯＭ、ＤＶＤ−ＲＡＭ、ＤＶＤ−Ｒ、ＤＶＤ＋Ｒ、ＤＶＤ−ＲＷ、ＤＶＤ＋ＲＷ、Ｂｌｕ−ｒａｙ（登録商標）、ＨＤ
ＤＶＤ等の磁気ディスク、光ディスク、光磁気ディスク、半導体メモリその他のプログラムを格納可能な媒体が含まれる。またプログラムには、上記記録媒体に格納されて配布されるものの他、インターネット等のネットワーク回線を通じてダウンロードによって配布される形態のものも含まれる。さらに記録した機器には、上記プログラムがソフトウェアやファームウェア等の形態で実行可能な状態に実装された汎用もしくは専用機器を含む。さらにまたプログラムに含まれる各処理や機能は、コンピュータで実行可能なプログラムソフトウエアにより実行してもよいし、各部の処理を所定のゲートアレイ（ＦＰＧＡ、ＡＳＩＣ）等のハードウエア、又はプログラムソフトウエアとハードウェアの一部の要素を実現する部分的ハードウエアモジュールとが混在する形式で実現してもよい。
【手続補正４】
【補正対象書類名】明細書
【補正対象項目名】００１７
【補正方法】変更
【補正の内容】
【００１７】
第１〜２、７〜９発明によれば、加工イメージの高さを視覚的に把握しやすく、視認性を向上できる。特に第１発明によれば、基本図形の高さとレーザ加工データの高さとを略一致させて３次元的に表示することで、基本図形が必要とする高さが明確になる。また複数の加工ブロックを縦方向に積み重ねるように表示する際等、加工ブロック同士の距離や間隔が視覚的に判り易くなり、整列などのレイアウトも容易となる。また第２発明によれば、レーザ加工データにマージン等を加味した基本図形を３次元状に表示することができ、設定内容の確認の際などにおいて視認性を高めることができる。第３発明によれば、円柱状、円錐状、球状等の基本図形の高さを、レーザ加工データの高さと一致、あるいはこれよりも高く設定し、視認性やレイアウトの利便性などを向上できる。第４発明によれば、基本図形の高さをユーザが任意に設定できるので、ワークの全体や一部を表示させることもでき、設定位置の把握などに好適である。また第５発明によれば、複数の加工ブロックの縦方向の積み重ねや、整列などのレイアウトも容易となる。第６発明によれば、３次元加工が可能なレーザ加工装置のレーザ加工データの確認に、本発明を好適に適用できる。